(57)【特許請求の範囲】
【請求項１】
第１の無線アクセス技術（ＲＡＴ）による継続している動作の完了前に残っている時間期間を判断することと、
前記第１のＲＡＴによる前記継続している動作の前記残っている時間期間に少なくとも部分的に基づいて第２のＲＡＴの送信に電力バックオフを適用することと
を備える、ワイヤレス通信のための方法。
【請求項２】
前記第２のＲＡＴによって生じる前記第１のＲＡＴの潜在的な干渉の測定値を判断することと、
潜在的な干渉の前記測定値に少なくとも部分的に基づいて前記第２のＲＡＴの送信に前記電力バックオフを適用することと
をさらに備える、請求項１に記載の方法。
【請求項３】
前記第２のＲＡＴの送信に前記電力バックオフを適用することは、潜在的な干渉の前記測定値が所定のしきい値を超えたとき、潜在的な干渉の前記測定値に少なくとも部分的にさらに基づく、請求項２に記載の方法。
【請求項４】
前記第２のＲＡＴの送信に前記電力バックオフを適用することは、潜在的な干渉の前記測定値が増加したとき、前記電力バックオフを増加させることを備える、請求項２に記載の方法。
【請求項５】
前記残っている時間期間が減少するにつれて、前記適用される電力バックオフが増加する、請求項１に記載の方法。
【請求項６】
前記時間期間の終了が近づくと、前記適用される電力バックオフが最大許容電力バックオフになる、請求項５に記載の方法。
【請求項７】
前記第１のＲＡＴがブルートゥースを備え、前記第２のＲＡＴがロング・ターム・エボリューション（ＬＴＥ）を備える、請求項１に記載の方法。
【請求項８】
前記動作が、ページング動作または照会動作を備える、請求項７に記載の方法。
【請求項９】
第１の無線アクセス技術（ＲＡＴ）による継続している動作の完了前に残っている時間期間を判断するための手段と、
前記第１のＲＡＴによる前記継続している動作の前記残っている時間期間に少なくとも部分的に基づいて第２のＲＡＴの送信に電力バックオフを適用するための手段と
を備える、ワイヤレス通信のための装置。
【請求項１０】
前記第２のＲＡＴによって生じる前記第１のＲＡＴの潜在的な干渉の測定値を判断するための手段と、
潜在的な干渉の前記測定値に少なくとも部分的に基づいて前記第２のＲＡＴの送信に前記電力バックオフを適用するための手段と
をさらに備える、請求項９に記載の装置。
【請求項１１】
メモリと、
前記メモリに結合された少なくとも１つのプロセッサであって、
第１の無線アクセス技術（ＲＡＴ）による継続している動作の完了前に残っている時間期間を判断することと、
前記第１のＲＡＴによる前記継続している動作の前記残っている時間期間に少なくとも部分的に基づいて第２のＲＡＴの送信に電力バックオフを適用することと
を行うように構成された少なくとも１つのプロセッサと
を備える、ワイヤレス通信のための装置。
【請求項１２】
前記少なくとも１つのプロセッサが、
前記第２のＲＡＴによって生じる前記第１のＲＡＴの潜在的な干渉の測定値を判断することと、
潜在的な干渉の前記測定値に少なくとも部分的に基づいて前記第２のＲＡＴの送信に前記電力バックオフを適用することと
を行うようにさらに構成された、請求項１１に記載の装置。
【請求項１３】
前記第２のＲＡＴの送信に前記電力バックオフを適用することは、潜在的な干渉の前記測定値が所定のしきい値を超えたとき、潜在的な干渉の前記測定値に少なくとも部分的にさらに基づく、請求項１２に記載の装置。
【請求項１４】
前記第２のＲＡＴの送信に前記電力バックオフを適用することは、潜在的な干渉の前記測定値が増加したとき、前記電力バックオフを増加させることを備える、請求項１２に記載の装置。
【請求項１５】
前記残っている時間期間が減少するにつれて、前記適用される電力バックオフが増加する、請求項１１に記載の装置。
【請求項１６】
前記時間期間の終了が近づくと、前記適用される電力バックオフが最大許容電力バックオフになる、請求項１５に記載の装置。
【請求項１７】
前記第１のＲＡＴがブルートゥースを備え、前記第２のＲＡＴがロング・ターム・エボリューション（ＬＴＥ）を備える、請求項１１に記載の装置。
【請求項１８】
前記動作が、ページング動作または照会動作を備える、請求項１７に記載の装置。
【請求項１９】
ワイヤレスネットワークにおけるワイヤレス通信のための、非一時的プログラムコードを記録したコンピュータ可読記憶媒体であって、前記プログラムコードが、
第１の無線アクセス技術（ＲＡＴ）による継続している動作の完了前に残っている時間期間を判断するためのプログラムコードと、
前記第１のＲＡＴによる前記継続している動作の前記残っている時間期間に少なくとも部分的に基づいて第２のＲＡＴの送信に電力バックオフを適用するためのプログラムコードと
を備える、コンピュータ可読記憶媒体。
【請求項２０】
前記プログラムコードが、
前記第２のＲＡＴによって生じる前記第１のＲＡＴの潜在的な干渉の測定値を判断するためのプログラムコードと、
潜在的な干渉の前記測定値に基づいて前記第２のＲＡＴの送信に前記電力バックオフを適用するためのプログラムコードと
をさらに備える、請求項１９に記載のコンピュータ可読記憶媒体。
【発明の詳細な説明】
【技術分野】
【０００１】
関連出願の相互参照
［0001］  本出願は、その全体が参照により本明細書に明確に組み込まれる、LINSKYらの名義で２０１１年３月２日に出願された米国仮特許出願第６１／４４８，５０３号の利益を主張する。
【０００２】
［0002］  本明細書は、一般にマルチ無線（multi-radio）技法に関し、より詳細には、マルチ無線デバイスのための共存技法（coexistence techniques for multi-radio devices）に関する。
【背景技術】
【０００３】
［0003］  ワイヤレス通信システムは、ボイス、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  ロング・ターム・エボリューション（3GPP Long Term Evolution）（ＬＴＥ）システム、および直交周波数分割多元接続（ＯＦＤＭＡ）システムがある。
【０００４】
［0004］  概して、ワイヤレス多元接続通信システムは、複数のワイヤレス端末のための通信を同時にサポートすることができる。各端末は、順方向リンクおよび逆方向リンク上での送信によって１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単一入力単一出力、複数入力単一出力または複数入力複数出力（ＭＩＭＯ）システムを介して確立され得る。
【０００５】
［0005］  いくつかの従来の高度のデバイスは、異なる無線アクセス技術（ＲＡＴ：Radio Access Technology）を使用して送信／受信するための複数の無線機（multiple radios）を含む。ＲＡＴの例には、たとえば、ユニバーサル・モバイル通信システム（Universal Mobile Telecommunications System）（ＵＭＴＳ）、移動通信のためのグローバルシステム（Global System for Mobile Communications）（ＧＳＭ（登録商標））、ｃｄｍａ２０００、ＷｉＭＡＸ、ＷＬＡＮ（たとえば、ＷｉＦｉ）、ブルートゥース（登録商標）（Bluetooth）、ＬＴＥなどがある。
【０００６】
［0006］  例示的なモバイルデバイスは、第４世代（４Ｇ）モバイルフォンなど、ＬＴＥユーザ機器（ＵＥ：User Equipment）を含む。そのような４Ｇフォンは、ユーザに様々な機能を提供するための様々な無線機（various radios）を含み得る。この例では、４Ｇフォンは、ボイスおよびデータ用のＬＴＥ無線機（LTE radio）と、ＩＥＥＥ８０２．１１（ＷｉＦｉ）無線機（radio）と、全地球測位システム（ＧＰＳ）無線機と、ブルートゥース無線機とを含み、上記のうちの２つまたは４つすべてが同時に動作し得る。様々な無線機が電話に有用な機能を提供する一方、単一デバイス中にそれらを含めることは共存問題（coexistence issues）を生じる。詳細には、１つの無線機の動作が、場合によっては、放射性、伝導性のリソース衝突（radiative, conductive, resource collision）、および／または他の干渉メカニズムを通して別の無線機の動作に干渉し得る。共存問題はそのような干渉を含む。
【０００７】
［0007］  これは、産業科学医療用（ＩＳＭ：Industrial Scientific and Medical）帯域（band）に隣接して、この帯域との干渉を生じ得るＬＴＥアップリンクチャネルについて特に当てはまる。ブルートゥースおよびいくつかのワイヤレスＬＡＮ（ＷＬＡＮ）チャネルがＩＳＭ帯域内に入ることに留意されたい。いくつかの事例では、Ｂａｎｄ７、さらにはＢａｎｄ４０のいくつかのチャネル中でＬＴＥがアクティブであるとき、ブルートゥースチャネル状態によっては、ブルートゥース誤り率が許容できなくなり得る。ＬＴＥに対する著しい劣化はないが、ブルートゥースを用いた同時動作は、ブルートゥース・ヘッドセットにおいて終端するボイスサービスの混乱を生じ得る。そのような混乱は消費者にとって許容できないものであり得る。ＬＴＥ送信がＧＰＳに干渉するとき、同様の問題が存在する。ＬＴＥ自体は劣化を受けないので、現在、この問題を解決することができるメカニズムは存在しない。
【０００８】
［0008］  特にＬＴＥに関して、ＵＥは、発展型ノードＢ（ｅＮＢ、たとえば、ワイヤレス通信ネットワーク用の基地局）と通信して、ダウンリンク上でＵＥが受けた干渉をそのｅＮＢに通知することに留意されたい。さらに、ｅＮＢは、ダウンリンク誤り率を使用してＵＥにおける干渉を推定することが可能であり得る。いくつかの事例では、ｅＮＢおよびＵＥは協働して、ＵＥにおける干渉、さらにはＵＥ自体の内部の無線機による干渉を低減するソリューションを発見することができる。しかしながら、従来のＬＴＥでは、ダウンリンクに関する干渉推定は、干渉に包括的に対処するためには十分でないことがある。
【０００９】
［0009］  一例では、ＬＴＥアップリンク信号はブルートゥース信号またはＷＬＡＮ信号に干渉する。しかしながら、そのような干渉は、ｅＮＢにおけるダウンリンク測定報告中に反映されない。その結果、ＵＥの側の一方的なアクション（たとえば、アップリンク信号を異なるチャネルに移動すること）は、アップリンク共存問題に気づいていないｅＮＢによって阻止され得、ｅＮＢはその一方的なアクションを取り消そうと努める。たとえば、ＵＥが異なる周波数チャネル上で接続を再確立した場合でも、ネットワークは、ＵＥを、デバイス内干渉（in-device interference）によって損なわれた元の周波数チャネルに依然としてハンドオーバし得る。損なわれたチャネル上の所望の信号強度は、時々、ｅＮＢに対する基準信号受信電力（ＲＳＲＰ：Reference Signal Received Power）に基づく新しいチャネルの測定報告中で反映される信号強度よりも高くなり得るので、これは可能性があるシナリオである。したがって、ｅＮＢがハンドオーバ決定を行うためにＲＳＲＰ報告を使用する場合、損なわれたチャネルと所望のチャネルとの間で往復して転送されるピンポン現象（ping-pong effect）が発生し得る。
【００１０】
［0010］  ｅＮＢの調整なしに単にアップリンク通信を停止することなど、ＵＥの側の他の一方的なアクションは、ｅＮＢにおける電力ループ機能不全（power loop malfunctions）を引き起こし得る。従来のＬＴＥにおいて存在するさらなる問題には、共存問題を有する構成の代替として所望の構成を提案する、ＵＥの側の能力の一般的な欠如がある。少なくともこれらの理由のために、ＵＥにおけるアップリンク共存問題は長い間未解決のまま残り、ＵＥの他の無線機のパフォーマンスおよび効率を劣化させ得る。
【発明の概要】
【００１１】
［0011］  本開示の一態様によれば、ワイヤレスネットワークにおいて通信する方法は、第１の無線アクセス技術（ＲＡＴ：radio access technology）による動作のために残っている時間期間を判断することを含む。本方法はまた、残っている時間期間に基づいて第２のＲＡＴに電力バックオフを適用することを含み得る。
【００１２】
［0012］  本開示の別の態様によれば、ワイヤレスネットワークにおいて通信するための装置は、第１の無線アクセス技術（ＲＡＴ）による動作のために残っている時間期間を判断するための手段を含む。本装置はまた、残っている時間期間に基づいて第２のＲＡＴに電力バックオフを適用するための手段を含み得る。
【００１３】
［0013］  本開示の一態様によれば、ワイヤレスネットワークにおいて通信するための装置は、メモリと、メモリに結合された少なくとも１つのプロセッサとを含む。（１つまたは複数の）プロセッサは、第１の無線アクセス技術（ＲＡＴ）による動作のために残っている時間期間を判断するように構成される。（１つまたは複数の）プロセッサは、残っている時間期間に基づいて第２のＲＡＴに電力バックオフを適用するようにさらに構成される。
【００１４】
［0014］  本開示の別の態様によれば、ワイヤレスネットワークにおけるワイヤレス通信のためのコンピュータプログラム製品は、非一時的プログラムコードを記録したコンピュータ可読媒体を含む。プログラムコードは、第１の無線アクセス技術（ＲＡＴ）による動作のために残っている時間期間を判断するためのプログラムコードを含む。プログラムコードは、残っている時間期間に基づいて第２のＲＡＴに電力バックオフを適用するためのプログラムコードをも含む。
【００１５】
［0015］  以下で、本開示の追加の特徴および利点について説明する。本開示は、本開示の同じ目的を実行するための他の構造を変更または設計するための基礎として容易に利用され得ることを、当業者は理解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で提供され、本開示の範囲を定めるものではないことを明白に理解されたい。
【００１６】
［0016］  本開示の特徴、特性、および利点は、全体を通じて同様の参照符号が同様のものを指す図面とともに、以下に記載する発明を実施するための形態を読めばより明らかになろう。
【図面の簡単な説明】
【００１７】
【図１】一態様による多元接続ワイヤレス通信システムを示す図。
【図２】一態様による通信システムのブロック図。
【図３】ダウンリンク・ロング・ターム・エボリューション（Ｌｏｎｇ  Ｔｅｒｍ  Ｅｖｏｌｕｔｉｏｎ）（ＬＴＥ）通信における例示的なフレーム構造を示す図。
【図４】アップリンク・ロング・ターム・エボリューション（ＬＴＥ）通信における例示的なフレーム構造を概念的に示すブロック図。
【図５】例示的なワイヤレス通信環境を示す図。
【図６】マルチ無線ワイヤレスデバイスのための例示的な設計のブロック図。
【図７】所与の決定期間における７つの例示的な無線機間のそれぞれの潜在的な衝突を示す図式。
【図８】時間的な例示的な共存マネージャ（ＣｘＭ：Coexistence Manager）の動作を示す図。
【図９】隣接する周波数帯域を示すブロック図。
【図１０】本開示の一態様による、マルチ無線共存管理のためのワイヤレス通信環境内でサポートを行うためのシステムのブロック図。
【図１１】本開示の一態様による、漸進的電力バックオフ方法（progressive power backoff method）を示すブロック図。
【図１２】処理システムを採用する装置のためのハードウェア実装形態の一例を示す図。
【発明を実施するための形態】
【００１８】
[0029]  本開示の様々な態様は、マルチ無線デバイス（multi-radio devices）中の共存問題を緩和するための技法を提供し、マルチ無線デバイスでは、たとえば、（たとえば、ブルートゥース／ＷＬＡＮ用の）ＬＴＥおよび産業科学医療用（ＩＳＭ：Industrial Scientific and Medical）帯域間に重大なデバイス内共存問題が存在し得る。上記で説明したように、ｅＮＢは、他の無線機（other radios）が受けるＵＥ側上の干渉に気づいていないので、いくつかの共存問題が残存する。一態様によれば、現在のチャネルに共存問題がある場合、ＵＥは、無線リンク障害（ＲＬＦ：Radio Link Failure）を宣言し、新しいチャネルまたは無線アクセス技術（ＲＡＴ：Radio Access Technology）に自律的にアクセスする。ＵＥは、いくつかの例では、１）共存による干渉によってＵＥ受信が影響を及ぼされるという理由、および２）ＵＥ送信機が別の無線機に破壊的な干渉を引き起こしているという理由で、ＲＬＦを宣言することができる。ＵＥは、次いで、新しいチャネルまたはＲＡＴで接続を再確立する間に、共存問題を示すメッセージをｅＮＢに送る。ｅＮＢは、メッセージを受信したことによって共存問題に気づく。
【００１９】
[0030]  本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに対して使用され得る。「ネットワーク」および「システム」という用語は、しばしば互換的に使用される。ＣＤＭＡネットワークは、ユニバーサル地上無線アクセス（Universal Terrestrial Radio Access）（ＵＴＲＡ）、ｃｄｍａ２０００などの無線技術を実装することができる。ＵＴＲＡは、広帯域（Wideband）−ＣＤＭＡ（Ｗ−ＣＤＭＡ）および低チップレート（Low Chip Rate）（ＬＣＲ）を含む。ＣＤＭＡ２０００は、ＩＳ−２０００、ＩＳ−９５、およびＩＳ−８５６規格をカバーする。ＴＤＭＡネットワークは、移動通信のためのグローバルシステム（Global System for Mobile Communications）（ＧＳＭ）などの無線技術を実装することができる。ＯＦＤＭＡネットワークは、発展型（Ｅｖｏｌｖｅｄ）ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができる。ＵＴＲＡ、Ｅ−ＵＴＲＡ、およびＧＳＭは、ユニバーサル・モバイル通信システム（Universal Mobile Telecommunication System）（ＵＭＴＳ）の一部である。ロング・ターム・エボリューション(Long Term Evolution)（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「第３世代パートナーシップ・プロジェクト（3rd Generation Partnership Project）」（３ＧＰＰ）と称する団体からの文書に記載されている。ｃｄｍａ２０００は、「第３世代パートナーシップ・プロジェクト２（3rd Generation Partnership Project 2）」（３ＧＰＰ２）と称する団体からの文書に記載されている。これらの様々な無線技術および規格は当技術分野で知られている。明確にするために、本技法のいくつかの態様について以下ではＬＴＥに関して説明し、以下の説明の部分でＬＴＥ用語を使用する。
【００２０】
[0031]  シングルキャリア変調および周波数領域等化（frequency domain equalization）を利用するシングルキャリア周波数分割多元接続（ＳＣ−ＦＤＭＡ）は、本明細書で説明する様々な態様とともに利用され得る技法である。ＳＣ−ＦＤＭＡは、ＯＦＤＭＡシステムと同様のパフォーマンスおよび本質的に同じ全体的な複雑さを有する。ＳＣ−ＦＤＭＡ信号は、それの固有のシングルキャリア構造のために、より低いピーク対平均電力比（ＰＡＰＲ：peak-to-average power ratio）を有する。ＳＣ−ＦＤＭＡは、特に、より低いＰＡＰＲが送信電力効率の点でモバイル端末に多大な利益を与えるアップリンク通信において、大きい注目を引いている。それは現在、３ＧＰＰ  ロング・ターム・エボリューション（ＬＴＥ）、または発展型（Ｅｖｏｌｖｅｄ）ＵＴＲＡにおけるアップリンク多元接続方式に関する実用的な前提である。
【００２１】
[0032]  図１を参照すると、一態様による多元接続ワイヤレス通信システムが示されている。発展型ノードＢ１００（ｅＮＢ）は、リソースおよびパラメータを割り振ること、ユーザ機器からの要求を許可／拒否することなどによってＬＴＥ通信を管理するための処理リソースとメモリリソースとを有するコンピュータ１１５を含む。ｅＮＢ１００はまた複数のアンテナグループを有し、あるグループはアンテナ１０４とアンテナ１０６とを含み、別のグループはアンテナ１０８とアンテナ１１０とを含み、追加のグループはアンテナ１１２とアンテナ１１４とを含む。図１では、アンテナグループごとに２つのアンテナのみが示されているが、アンテナグループごとにより多いまたはより少ないアンテナが利用され得る。ユーザ機器（ＵＥ）１１６（アクセス端末（ＡＴ）とも呼ばれる）がアンテナ１１２および１１４と通信している間、アンテナ１１２および１１４は、アップリンク（ＵＬ）１８８を介してＵＥ１１６に情報を送信する。ＵＥ１２２がアンテナ１０６および１０８と通信している間、アンテナ１０６および１０８は、ダウンリンク（ＤＬ）１２６を介してＵＥ１２２に情報を送信し、アップリンク１２４を介してＵＥ１２２から情報を受信する。ＦＤＤシステムでは、通信リンク１１８、１２０、１２４および１２６は、通信のために異なる周波数を使用することができる。たとえば、ダウンリンク１２０は、アップリンク１１８によって使用される周波数とは異なる周波数を使用することができる。
【００２２】
[0033]  アンテナの各グループ、および／またはアンテナが通信するように設計されたエリアは、しばしば、ｅＮＢのセクタと呼ばれる。この態様では、それぞれのアンテナグループは、ｅＮＢ１００によってカバーされるエリアのセクタ中のＵＥに通信するように設計される。
【００２３】
[0034]  ダウンリンク１２０および１２６を介した通信では、ｅＮＢ１００の送信アンテナは、異なるＵＥ１１６および１２２に対してアップリンクの信号対雑音比を改善するためにビームフォーミングを利用する。また、ｅＮＢが、ビームフォーミングを使用して、それのカバレージ中にランダムに分散されたＵＥに送信するほうが、ＵＥが単一のアンテナを介してすべてのそれのＵＥに送信するよりも、隣接セル中のＵＥへの干渉が小さくなる。
【００２４】
[0035]  ｅＮＢは、端末と通信するために使用される固定局であり得、アクセスポイント、基地局、または何らかの他の用語で呼ばれることもある。ＵＥは、アクセス端末、ワイヤレス通信デバイス、端末、または何らかの他の用語で呼ばれることもある。
【００２５】
[0036]  図２は、ＭＩＭＯシステム２００における送信機システム２１０（ｅＮＢとしても知られる）および受信機システム２５０（ＵＥとしても知られる）の一態様のブロック図である。いくつかの事例では、ＵＥとｅＮＢの両方が、送信機システムと受信機システムとを含むトランシーバをそれぞれ有する。送信機システム２１０において、いくつかのデータストリームのトラフィックデータがデータソース２１２から送信（ＴＸ）データプロセッサ２１４に供給される。
【００２６】
[0037]  ＭＩＭＯシステムは、データ送信のために複数（ＮＴ個）の送信アンテナと複数（ＮＲ個）の受信アンテナとを採用する。ＮＴ個の送信アンテナとＮＲ個の受信アンテナとによって形成されるＭＩＭＯチャネルは、空間チャネルと呼ばれることもあるＮＳ個の独立チャネルに分解され得、ここで、ＮＳ≦ｍｉｎ｛ＮＴ，ＮＲ｝である。ＮＳ個の独立チャネルの各々は１つの次元（a dimension）に対応する。複数の送信アンテナおよび受信アンテナによって生成された追加の次元数（dimensionalities）が利用された場合、ＭＩＭＯシステムは改善されたパフォーマンス（たとえば、より高いスループットおよび／またはより大きい信頼性）を与えることができる。
【００２７】
[0038]  ＭＩＭＯシステムは時分割複信（ＴＤＤ）および周波数分割複信（ＦＤＤ）システムをサポートする。ＴＤＤシステムでは、アップリンクおよびダウンリンク送信が同じ周波数領域上で行われるので、相反定理によりアップリンクチャネルからダウンリンクチャネルの推定が可能である。これにより、ｅＮＢにおいて複数のアンテナが利用可能であるとき、ｅＮＢはダウンリンク上で送信ビームフォーミング利得を抽出することが可能になる。
【００２８】
[0039]  一態様では、各データストリームは、それぞれの送信アンテナを介して送信される。ＴＸデータプロセッサ２１４は、データストリーム用に選択された特定のコーディング方式に基づいて、そのデータストリームごとにトラフィックデータをフォーマットし、コーディングし、インターリーブして、コード化データを与える。
【００２９】
[0040]  各データストリームのコード化データは、ＯＦＤＭ技法を使用してパイロットデータで多重化され得る。パイロットデータは、知られている方法で処理された既知のデータパターンであり、チャネル応答を推定するために受信機システムにおいて使用され得る。次いで、各データストリームの多重化されたパイロットデータおよびコード化データは、そのデータストリーム用に選択された特定の変調方式（たとえば、ＢＰＳＫ、ＱＳＰＫ、Ｍ−ＰＳＫ、またはＭ−ＱＡＭ）に基づいて変調（たとえば、シンボルマッピング）されて、変調シンボルを与える。各データストリームのデータレート、コーディング、および変調は、メモリ２３２とともに動作するプロセッサ２３０によって実行される命令によって判断され得る。
【００３０】
[0041]  次いで、それぞれのデータストリームの変調シンボルはＴＸ  ＭＩＭＯプロセッサ２２０に供給され、ＴＸ  ＭＩＭＯプロセッサ２２０はさらに（たとえば、ＯＦＤＭ用に）その変調シンボルを処理することができる。次いで、ＴＸ  ＭＩＭＯプロセッサ２２０はＮＴ個の変調シンボルストリームをＮＴ個の送信機（ＴＭＴＲ）２２２ａ〜２２２ｔに与える。いくつかの態様では、ＴＸ  ＭＩＭＯプロセッサ２２０は、データストリームのシンボルと、そのシンボルの送信元のアンテナとにビームフォーミング重みを適用する。
【００３１】
[0042]  各送信機２２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調された信号を与える。次いで、送信機２２２ａ〜２２２ｔからのＮＴ個の変調された信号は、それぞれＮＴ個のアンテナ２２４ａ〜２２４ｔから送信される。
【００３２】
[0043]  受信機システム２５０では、送信された変調された信号はＮＲ個のアンテナ２５２ａ〜２５２ｒによって受信され、各アンテナ２５２からの受信信号は、それぞれの受信機（ＲＣＶＲ）２５４ａ〜２５４ｒに与えられる。各受信機２５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【００３３】
[0044]  次いで、ＲＸデータプロセッサ２６０は、ＮＲ個の受信機２５４からＮＲ個の受信シンボルストリームを受信し、特定の受信機処理技法に基づいて処理して、ＮＴ個の「検出」シンボルストリーム（“detected” symbol streams）を与える。次いで、ＲＸデータプロセッサ２６０は、各検出シンボルストリームを復調し、デインターリーブし、復号して、データストリームのトラフィックデータを復元する。ＲＸデータプロセッサ２６０による処理は、送信機システム２１０におけるＴＸ  ＭＩＭＯプロセッサ２２０およびＴＸデータプロセッサ２１４によって実行される処理に対して補完的（complementary to）である。
【００３４】
[0045]  （メモリ２７２とともに動作する）プロセッサ２７０は、どのプリコーディング行列を使用すべきかを周期的に判断する（後述）。プロセッサ２７０は、行列インデックス部分とランク値部分とを有するアップリンクメッセージを作成する（formulate）。
【００３５】
[0046]  アップリンクメッセージは、通信リンクおよび／または受信データストリームに関する様々なタイプの情報を含むことができる。次いで、アップリンクメッセージは、データソース２３６からいくつかのデータストリームのトラフィックデータをも受信するＴＸデータプロセッサ２３８によって処理され、変調器２８０によって変調され、送信機２５４ａ〜２５４ｒによって調整され、送信機システム２１０に返信される。
【００３６】
[0047]  送信機システム２１０において、受信機システム２５０からの変調された信号は、アンテナ２２４によって受信され、受信機２２２によって調整され、復調器２４０によって復調され、ＲＸデータプロセッサ２４２によって処理されて、受信機システム２５０によって、送信されたアップリンクメッセージを抽出する。次いで、プロセッサ２３０は、ビームフォーミング重みを判断するためにどのプリコーディング行列を使用すべきかを判断し、次いで、抽出されたメッセージを処理する。
【００３７】
[0048]  図３は、ダウンリンク・ロング・ターム・エボリューション（ＬＴＥ）通信における例示的なフレーム構造を概念的に示すブロック図である。ダウンリンクの送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図３に示すように）ノーマルサイクリックプレフィックス（a normal cyclic prefix）の場合は７つのシンボル期間、または拡張サイクリックプレフィックス（an extended cyclic prefix）の場合は６つのシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００３８】
[0049]  ＬＴＥでは、ｅＮＢは、そのｅＮＢ中の各セルについてプライマリ同期信号（ＰＳＳ：Primary Synchronization Signal）とセカンダリ同期信号（ＳＳＳ：Secondary Synchronization Signal）とを送り得る。ＰＳＳおよびＳＳＳは、図３に示すように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００３９】
[0050]  ｅＮＢは、そのｅＮＢ中の各セルについてセル固有基準信号（ＣＲＳ：Cell-specific Reference Signal）を送り得る。ＣＲＳは、ノーマルサイクリックプレフィックスの場合は各スロットのシンボル０、１、および４中で送られ得、拡張サイクリックプレフィックスの場合は各スロットのシンボル０、１、および３中で送られ得る。ＣＲＳは、物理チャネルのコヒーレント復調（coherent demodulation）、タイミングおよび周波数追跡、無線リンク監視（ＲＬＭ：Radio Link Monitoring）、基準信号受信電力（ＲＳＲＰ：Reference Signal Received Power）、および基準信号受信品質（ＲＳＲＱ：Reference Signal Received Quality）測定などのためにＵＥによって使用され得る。
【００４０】
[0051]  ｅＮＢは、図３に示すように、各サブフレームの最初のシンボル期間中に物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。図３に示す例では、Ｍ＝３である。ｅＮＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。図３に示す例でも、ＰＤＣＣＨおよびＰＨＩＣＨは最初の３つのシンボル期間中に含まれている。ＰＨＩＣＨは、ハイブリッド自動再送要求（ＨＡＲＱ：Hybrid Automatic Repeat Request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。ＬＴＥにおける様々な信号およびチャネルは、公開されている「Evolved Universal Terrestrial Radio Access (E-UTRA); Physical Channels and Modulation」と題する３ＧＰＰ  ＴＳ  ３６．２１１に記載されている。
【００４１】
[0052]  ｅＮＢは、そのｅＮＢによって使用されるシステム帯域幅の中心１．０８ＭＨｚにおいてＰＳＳ、ＳＳＳおよびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方法でＰＤＳＣＨを送り得る。
【００４２】
[0053]  各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）中に配置され得る。各ＲＥＧは、１つのシンボル期間中の４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。たとえば、ＰＨＩＣＨ用の３つのＲＥＧは、すべてシンボル期間０中に属し得るか、またはシンボル期間０、１および２中で拡散され得る。ＰＤＣＣＨは、最初のＭ個のシンボル期間において、利用可能なＲＥＧから選択され得る、９、１８、３２または６４個のＲＥＧを占有し得る。ＲＥＧのいくつかの組合せのみがＰＤＣＣＨに対して可能にされ得る。
【００４３】
[0054]  ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、一般に、ＰＤＣＣＨに対して可能にされた組合せの数よりも少ない。ｅＮＢは、ＵＥが探索することになる組合せのいずれかにおいてＵＥにＰＤＣＣＨを送り得る。
【００４４】
[0055]  図４は、アップリンク・ロング・ターム・エボリューション（ＬＴＥ）通信における例示的なフレーム構造を概念的に示すブロック図である。アップリンクのために利用可能なリソースブロック（ＲＢ：Resource Block）は、データセクションと制御セクションとに区分され得る。制御セクションは、システム帯域幅の２つのエッジ（edge）において形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。図４の設計は、データセクション中の連続するサブキャリアのすべてを単一のＵＥに割り当てることを可能にし得る連続するサブキャリアを含むデータセクションを生じる。
【００４５】
[0056]  ＵＥには、ｅＮＢに制御情報を送信するために制御セクション中のリソースブロックが割り当てられ得る。ＵＥには、ｅノードＢにデータを送信するためにデータセクション中のリソースブロックも割り当てられ得る。ＵＥは、制御セクション中の割り当てられたリソースブロック上の物理アップリンク制御チャネル（ＰＵＣＣＨ：Physical Uplink Control Channel）中で制御情報を送信し得る。ＵＥは、データセクション中の割り当てられたリソースブロック上の物理アップリンク共有チャネル（ＰＵＳＣＨ：Physical Uplink Shared Channel）中でデータのみまたはデータと制御情報の両方を送信し得る。アップリンク送信は、サブフレームの両方のスロットにわたり得、図４に示すように周波数にわたってホッピングし得る。
【００４６】
[0057]  ＬＴＥにおけるＰＳＳ、ＳＳＳ、ＣＲＳ、ＰＢＣＨ、ＰＵＣＣＨおよびＰＵＳＣＨは、公開されている「Evolved Universal Terrestrial Radio Access (E-UTRA); Physical Channels and Modulation」と題する３ＧＰＰ  ＴＳ  ３６．２１１に記載されている。
【００４７】
[0058]  一態様では、本明細書では、マルチ無線共存ソリューション（multi-radio coexistence solutions）を可能にするために、３ＧＰＰ  ＬＴＥ環境などのワイヤレス通信環境内でサポートを行うためのシステムおよび方法が説明される。
【００４８】
[0059]  次に図５を参照すると、本明細書で説明する様々な態様が機能することができる例示的なワイヤレス通信環境５００が示されている。ワイヤレス通信環境５００は、複数の通信システムと通信することが可能であり得るワイヤレスデバイス５１０を含むことができる。これらのシステムは、たとえば、１つまたは複数のセルラーシステム５２０および／または５３０、１つまたは複数のＷＬＡＮシステム５４０および／または５５０、１つまたは複数のワイヤレスパーソナルエリアネットワーク（ＷＰＡＮ）システム５６０、１つまたは複数のブロードキャストシステム５７０、１つまたは複数の衛星測位システム５８０、図５に示されていない他のシステム、あるいはそれらの任意の組合せを含むことができる。以下の説明では、「ネットワーク」および「システム」という用語がしばしば互換的に使用されることを諒解されたい。
【００４９】
[0060]  セルラーシステム５２０および５３０はそれぞれ、ＣＤＭＡ、ＴＤＭＡ、ＦＤＭＡ、ＯＦＤＭＡ、シングルキャリアＦＤＭＡ（ＳＣ−ＦＤＭＡ）、または他の好適なシステムであり得る。ＣＤＭＡシステムは、ユニバーサル地上無線アクセス（Universal Terrestrial Radio Access）（ＵＴＲＡ）、ｃｄｍａ２０００などの無線技術を実装することができる。ＵＴＲＡは、広帯域ＣＤＭＡ（ＷＣＤＭＡ（登録商標））およびＣＤＭＡの他の変形態を含む。その上、ｃｄｍａ２０００は、ＩＳ−２０００（ＣＤＭＡ２０００  １Ｘ）、ＩＳ−９５およびＩＳ−８５６（ＨＲＰＤ）規格をカバーする。ＴＤＭＡシステムは、移動通信のためのグローバルシステム（Global System for Mobile Communications）（ＧＳＭ）、デジタル先進移動電話サービス（Digital Advanced Mobile Phone System）（Ｄ−ＡＭＰＳ）などの無線技術を実装することができる。ＯＦＤＭＡシステムは、発展型（Ｅｖｏｌｖｅｄ）ＵＴＲＡ（Ｅ−ＵＴＲＡ）、ウルトラ・モバイル・ブロードバンド（Ultra Mobile Broadband）（ＵＭＢ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができる。ＵＴＲＡおよびＥ−ＵＴＲＡは、ユニバーサル・モバイル通信システム（Universal Mobile Telecommunication System）（ＵＭＴＳ）の一部である。３ＧＰＰ  ロング・ターム・エボリューション（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシップ・プロジェクト」（３ＧＰＰ）と称する団体からの文書に記載されている。ｃｄｍａ２０００およびＵＭＢは、「第３世代パートナーシップ・プロジェクト  ２」（３ＧＰＰ２）と称する団体からの文書に記載されている。一態様では、セルラーシステム５２０は、カバレージ内のワイヤレスデバイスのための双方向通信をサポートすることができるいくつかの基地局５２２を含むことができる。同様に、セルラーシステム５３０は、カバレージ内のワイヤレスデバイスのための双方向通信をサポートすることができるいくつかの基地局５３２を含むことができる。
【００５０】
[0061]  ＷＬＡＮシステム５４０および５５０はそれぞれ、ＩＥＥＥ８０２．１１（ＷｉＦｉ）、Ｈｉｐｅｒｌａｎなどの無線技術を実装することができる。ＷＬＡＮシステム５４０は、双方向通信をサポートすることができる１つまたは複数のアクセスポイント５４２を含むことができる。同様に、ＷＬＡＮシステム５５０は、双方向通信をサポートすることができる１つまたは複数のアクセスポイント５５２を含むことができる。ＷＰＡＮシステム５６０は、ブルートゥース(Ｂｌｕｅｔｏｏｔｈ)（ＢＴ）、ＩＥＥＥ８０２．１５などの無線技術を実装することができる。さらに、ＷＰＡＮシステム５６０は、ワイヤレスデバイス５１０、ヘッドセット５６２、コンピュータ５６４、マウス５６６など、様々なデバイスのための双方向通信をサポートすることができる。
【００５１】
[0062]  ブロードキャストシステム５７０は、テレビジョン（ＴＶ）ブロードキャストシステム、周波数変調（ＦＭ）ブロードキャストシステム、デジタルブロードキャストシステムなどであり得る。デジタルブロードキャストシステムは、ＭｅｄｉａＦＬＯ（商標）、ハンドヘルド向けのデジタル・ビデオ・ブロードキャスティング（Digital Video Broadcasting for Handhelds）（ＤＶＢ−Ｈ）、地上テレビ放送向けの統合デジタル放送サービス（Integrated Services Digital Broadcasting for Terrestrial Television Broadcasting）（ＩＳＤＢ−Ｔ）などの無線技術を実装することができる。さらに、ブロードキャストシステム５７０は、一方向通信をサポートすることができる１つまたは複数のブロードキャスト局５７２を含むことができる。
【００５２】
[0063]  衛星測位システム５８０は、米国の全地球測位システム（ＧＰＳ）、欧州のガリレオ（Ｇａｌｉｌｅｏ）システム、ロシアのグロナス（ＧＬＯＮＡＳＳ）システム、日本の準天頂衛星システム（the Quasi-Zenith Satellite System）（ＱＺＳＳ）、インドの地域航法衛星システム（the Indian Regional Navigational Satellite System）（ＩＲＮＳＳ）、中国の北斗（Ｂｅｉｄｏｕ）システム、および／または任意の他の好適なシステムであり得る。さらに、衛星測位システム５８０は、位置判断用の信号を送信するいくつかの衛星５８２を含むことができる。
【００５３】
[0064]  一態様では、ワイヤレスデバイス５１０は、固定でも移動でもあり得、ユーザ機器（ＵＥ）、移動局、モバイル機器、端末、アクセス端末、加入者ユニット、局などと呼ばれることもある。ワイヤレスデバイス５１０は、セルラーフォン、携帯情報端末（ＰＤＡ）、ワイヤレスモデム、ハンドヘルドデバイス、ラップトップコンピュータ、コードレスフォン、ワイヤレスローカルループ（ＷＬＬ：wireless local loop）局などであり得る。さらに、ワイヤレスデバイス５１０は、セルラーシステム５２０および／または５３０、ＷＬＡＮシステム５４０および／または５５０、ＷＰＡＮシステム５６０をもつデバイス、および／または任意の他の好適な（１つまたは複数の）システムおよび／または（１つまたは複数の）デバイスとの双方向通信に関与することができる。ワイヤレスデバイス５１０は、追加または代替として、ブロードキャストシステム５７０および／または衛星測位システム５８０から信号を受信することができる。概して、ワイヤレスデバイス５１０は、所与の瞬間において任意の数のシステムと通信することができることが諒解できよう。また、ワイヤレスデバイス５１０は、同時に動作するそれの構成無線デバイス（constituent radio devices）の中の様々な構成無線デバイスの間の共存問題に遭遇し得る。したがって、デバイス５１０は、以下でさらに説明するように、共存問題を検出し、緩和するための機能モジュールを有する共存マネージャ（a coexistence manager）（ＣｘＭ、図示せず）を含む。
【００５４】
[0065]  次に図６を参照すると、図５の無線機５１０（the radio 510）の実装形態として使用され得る、マルチ無線ワイヤレスデバイス６００の例示的な設計を示すブロック図が与えられている。図６が示すように、ワイヤレスデバイス６００は、それぞれＮ個のアンテナ６１０ａ〜６１０ｎに結合され得るＮ個の無線機６２０ａ〜６２０ｎを含むことができ、ここで、Ｎは任意の整数値であり得る。ただし、それぞれの無線機６２０は任意の数のアンテナ６１０に結合され得、複数の無線機６２０は所与のアンテナ６１０を共有することもできることを諒解されたい。
【００５５】
[0066]  概して、無線機６２０は、電磁スペクトルのエネルギーを放射または放出するか、電磁スペクトルのエネルギーを受け取るか、あるいは伝導性手段を介して伝搬するエネルギーを発生するユニットであり得る。例として、無線機６２０は、システムまたはデバイスに信号を送信するユニット、あるいはシステムまたはデバイスから信号を受信するユニットであり得る。したがって、無線機６２０は、ワイヤレス通信をサポートするために利用され得ることが諒解できよう。別の例では、無線機６２０はまた、他の無線機のパフォーマンスに影響を及ぼし得る雑音を放出するユニット（たとえば、コンピュータ上のスクリーン、回路基板など）であり得る。したがって、さらに、無線機６２０は、ワイヤレス通信をサポートすることなしに雑音および干渉を放出するユニットでもあり得ることが諒解できよう。
【００５６】
[0067]  一態様では、それぞれの無線機６２０は、１つまたは複数のシステムとの通信をサポートすることができる。複数の無線６２０は、追加または代替として、所与のシステムが、たとえば、異なる周波数帯域（例えば、セルラー帯域およびＰＣＳ帯域）上で送信または受信するために使用され得る。
【００５７】
[0068]  別の態様では、デジタルプロセッサ６３０は、無線機６２０ａ〜６２０ｎに結合され得、無線機６２０を介して送信または受信されるデータの処理など、様々な機能を実行することができる。各無線機６２０の処理は、その無線機によってサポートされる無線技術に依存し得、送信機の場合は暗号化、符号化、変調などを含み、受信機の場合は復調、復号、解読などを含むことなどができる。一例では、デジタルプロセッサ６３０は、本明細書で概して説明するように、ワイヤレスデバイス６００のパフォーマンスを改善するために無線機６２０の動作を制御することができる共存マネージャ６４０を含むことができる。共存マネージャ６４０は、無線機６２０の動作を制御するために使用される情報を記憶することができるデータベース６４４にアクセスすることができる。以下でさらに説明するように、共存マネージャ６４０は、無線機間の干渉を減少させるための様々な技法に対して適応され得る。一例では、共存マネージャ６４０は、ＩＳＭ無線機がＬＴＥ非アクティビティ期間中に（during periods of LTE inactivity）通信することを可能にする測定ギャップパターン（a measurement gap pattern）またはＤＲＸサイクルを要求する。ギャップパターンは、本明細書では、無線機（a radio）（たとえば、ＬＴＥ）のアクティビティ期間とその無線機の非アクティビティ期間とが交互に起こるパターンとして定義される。
【００５８】
[0069]  簡単にするために、デジタルプロセッサ６３０は、図６ではシングルプロセッサとして示されている。しかしながら、デジタルプロセッサ６３０は、任意の数のプロセッサ、コントローラ、メモリなどを含むことができることを諒解されたい。一例では、コントローラ／プロセッサ６５０は、ワイヤレスデバイス６００内の様々なユニットの動作を指示することができる。追加または代替として、メモリ６５２が、ワイヤレスデバイス６００のためのプログラムコードおよびデータを記憶することができる。デジタルプロセッサ６３０、コントローラ／プロセッサ６５０、およびメモリ６５２は、１つまたは複数の集積回路（ＩＣ）、特定用途向け集積回路（ＡＳＩＣ）などの上で実装され得る。特定の非限定的な例として、デジタルプロセッサ６３０は、移動局モデム（ＭＳＭ：Mobile Station Modem）ＡＳＩＣ上で実装され得る。
【００５９】
[0070]  一態様では、共存マネージャ６４０は、それぞれの無線機６２０間の衝突に関連する干渉および／または他のパフォーマンス劣化を回避するために、ワイヤレスデバイス６００によって利用されるそれぞれの無線機６２０の動作を管理することができる。共存マネージャ６４０は、図１１、図１３、および図１４に示すプロセスなど、１つまたは複数のプロセスを実行し得る。さらなる例として、図７の図式７００に、所与の決定期間における７つの例示的な無線機間のそれぞれの潜在的な衝突（potential collisions）を表す。図式７００に示す例では、７つの無線機は、ＷＬＡＮ送信機（Ｔｗ）と、ＬＴＥ送信機（Ｔｌ）と、ＦＭ送信機（Ｔｆ）と、ＧＳＭ／ＷＣＤＭＡ送信機（Ｔｃ／Ｔｗ）と、ＬＴＥ受信機（Ｒｌ）と、ブルートゥース(Ｂｌｕｅｔｏｏｔｈ)受信機（Ｒｂ）と、ＧＰＳ受信機（Ｒｇ）とを含む。４つの送信機は、図式７００の左側にある４つのノードによって表されている。４つの受信機は、図式７００の右側にある３つのノードによって表されている。
【００６０】
[0071]  送信機と受信機との間の潜在的な衝突は、送信機のノードと受信機のノードとを接続しているブランチによって図式７００上に表されている。したがって、図式７００に示す例では、衝突は、（１）ＷＬＡＮ送信機（Ｔｗ）とブルートゥース受信機（Ｒｂ）との間、（２）ＬＴＥ送信機（Ｔｌ）とブルートゥース受信機（Ｒｂ）との間、（３）ＷＬＡＮ送信機（Ｔｗ）とＬＴＥ受信機（Ｒｌ）との間、（４）ＦＭ送信機（Ｔｆ）とＧＰＳ受信機（Ｒｇ）との間、（５）ＷＬＡＮ送信機（Ｔｗ）、ＧＳＭ／ＷＣＤＭＡ送信機（Ｔｃ／Ｔｗ）とＧＰＳ受信機（Ｒｇ）との間に存在し得る。
【００６１】
[0072]  一態様では、例示的な共存マネージャ６４０は、図８の線図８００によって示されているような方法で時間的に動作することができる。線図８００が示すように、共存マネージャ動作のタイムラインは、任意の好適な一様または非一様な長さ（たとえば、１００μｓ）であり得る決定ユニット（ＤＵ：Decision Unit）に分割され得、ＤＵでは、通知が処理され、応答段階（たとえば、２０μｓ）では、評価段階中に取られたアクションに基づいて、コマンドが様々な無線機６２０に与えられ、および／または他の動作が実行される。一例では、線図８００に示すタイムラインは、タイムラインのワーストケース動作（a worst case operation）によって定義されたレイテンシパラメータ（a latency parameter）を有することができ、たとえば、所与のＤＵ中の通知段階の終了の直後に所与の無線機から通知が取得された場合における応答のタイミングを有することができる。
【００６２】
[0073]  図９に示すように、（周波数分割複信（ＦＤＤ）アップリンクのための）ｂａｎｄ７、（時分割複信（ＴＤＤ）通信のための）ｂａｎｄ４０、および（ＴＤＤダウンリンクのための）ｂａｎｄ３８にあるロング・ターム・エボリューション（ＬＴＥ）は、ブルートゥース（Ｂｌｕｅｔｏｏｔｈ）（ＢＴ）技術およびワイヤレスローカルエリアネットワーク（ＷＬＡＮ）技術によって使用される２．４ＧＨｚ産業科学医療用（ＩＳＭ）帯域と隣接している。これらの帯域についての周波数プランニングは、従来のフィルタリングソリューションが隣接する周波数における干渉を回避することを可能にするガードバンドが制限されているか、またはそれが存在しないようなものである。たとえば、ＩＳＭとｂａｎｄ７との間に２０ＭＨｚのガードバンドが存在するが、ＩＳＭとｂａｎｄ４０との間にガードバンドは存在しない。
【００６３】
[0074]  適切な規格に準拠するために、特定の帯域上で動作する通信デバイスは、指定された周波数範囲全体にわたって動作可能であるべきである。たとえば、ＬＴＥ準拠であるために、移動局／ユーザ機器は、第３世代パートナーシップ・プロジェクト（３ＧＰＰ）によって定義されているように、ｂａｎｄ４０（２３００〜２４００ＭＨｚ）とｂａｎｄ７（２５００〜２５７０ＭＨｚ）の両方全体にわたって通信することが可能であるべきである。十分なガードバンドなしに、デバイスは、帯域干渉を生じる他の帯域に重複するフィルタを採用する。ｂａｎｄ４０フィルタは、帯域全体をカバーするために１００ＭＨｚ幅であるので、それらのフィルタからのロールオーバ（rollover）は、干渉を生じるＩＳＭ帯域にクロスオーバする。同様に、ＩＳＭ帯域全体（たとえば、２４０１〜約２４８０ＭＨｚ）を使用するＩＳＭデバイスは、隣接するｂａｎｄ４０およびｂａｎｄ７にロールオーバするフィルタを採用することになり、干渉を生じ得る。
【００６４】
[0075]  ＵＥに関して、たとえば、（たとえば、ブルートゥース／ＷＬＡＮ用の）ＬＴＥおよびＩＳＭ帯域などのリソース間にデバイス内共存問題（in-device coexistence problems）が存在し得る。現在のＬＴＥ実装形態では、ＬＴＥに対する干渉問題は、ＵＥによって報告されるダウンリンク測定値（たとえば、基準信号受信品質（ＲＳＲＱ）メトリックなど）および／またはダウンリンク誤り率（downlink error rate）に反映され、ｅＮＢは、それらのダウンリンク測定値および／またはダウンリンク誤り率を使用して、たとえば、共存問題のないチャネルまたはＲＡＴにＬＴＥを移動させる周波数間またはＲＡＴ間ハンドオフ決定を行うことができる。しかしながら、たとえば、ＬＴＥ  ＵＬがブルートゥース／ＷＬＡＮへの干渉を引き起こしているが、ＬＴＥダウンリンクがブルートゥース／ＷＬＡＮからの干渉を経験しない場合、これらの既存の技法は機能しないことが諒解できよう。より詳細には、ＵＥがそれ自体をアップリンク上の別のチャネルに自律的に移動させる場合でも、ｅＮＢは、場合によっては、負荷分散の目的でＵＥを問題があるチャネルにハンドオーバし戻す可能性がある。いずれの場合も、既存の技法では、問題があるチャネルの帯域幅を最も効率的な方法で使用することが可能にならないことが諒解できよう。
【００６５】
[0076]  次に図１０を参照すると、マルチ無線共存管理（multi-radio coexistence management）のためにワイヤレス通信環境内でサポートを行うためのシステム１０００のブロック図が示されている。一態様では、システム１０００は、アップリンク通信および／またはダウンリンク通信、ならびに／あるいは互いのおよび／またはシステム１０００中の他のエンティティとの任意の他の好適な通信に関与することができる、１つまたは複数のＵＥ１０１０および／またはｅＮＢ１０４０を含むことができる。一例では、ＵＥ１０１０および／またはｅＮＢ１０４０は、周波数チャネルおよびサブバンドを含む様々なリソースを使用して通信するように動作可能であり得、それらのリソースの一部は他の無線リソース（たとえば、ＬＴＥモデムなどのブロードバンド無線機）と潜在的に衝突し得る。したがって、ＵＥ１０１０は、本明細書で概して説明するように、ＵＥ１０１０によって利用される複数の無線機の間の共存を管理するための様々な技法を利用することができる。
【００６６】
[0077]  少なくとも上記の短所を緩和するために、ＵＥ１０１０は、ＵＥ１０１０内のマルチ無線共存のためのサポートを可能にするために、本明細書で説明しシステム１０００によって図示する、それぞれの特徴を利用することができる。チャネル監視モジュール１０１２、リソース共存アナライザ１０１４、ＲＳＳＩ感知モジュール１０１６、および電力バックオフモジュール１０１８、ならびに他のモジュールを含む様々なモジュールは、以下で説明する態様を実装するように構成され得る。様々なモジュール１０１２〜１０１８は、いくつかの例では、図６の共存マネージャ６４０などの共存マネージャの一部として実装され得る。様々なモジュール１０１２〜１０１８などは、本明細書で説明する実施形態を実装するように構成され得る。
【００６７】
[0078]  ブルートゥースデバイスは、他のデバイスを発見するために、照会（inquiry）と呼ばれる動作を利用する。デバイス照会の目的は、将来のある時点において照会デバイスをもつネットワークに参加するかもしれない、近接している他のブルートゥースデバイスに関する情報を収集することである。照会動作は、１０．２４秒間持続し得、比較的高いデューティサイクル動作である。別の高デューティサイクルブルートゥース動作であるページングは、ブルートゥースデバイス間の接続を確立する。デバイスページング（device page）の目的は、特定のページングされたデバイスをネットワークに参入するように勧誘することである。ページングは、一般に、最長５．１２秒間持続するが、ページングされたデバイスが応答すると、自動的に終了し得る。
【００６８】
[0079]  ロング・ターム・エボリューション（ＬＴＥ）無線機による送信は、着信信号を受信するブルートゥース無線機の能力に干渉し得る。そのような干渉によって、ブルートゥースデバイスが感知されないことがあり、したがって、ページング／照会が失敗する。ブルートゥース動作への干渉を低減するためにＬＴＥ送信電力をバックオフすることによって、照会およびページングなどの特定のブルートゥース動作を保護することが望ましいことがある。しかしながら、ある量を超えてＬＴＥ電力をバックオフすることが望ましくないことがあり、したがって、電力バックオフは、ＬＴＥアップロードパフォーマンスに悪影響を及ぼし得る。本開示では、ＬＴＥ干渉のレベルと、タイムアウトの後にブルートゥース動作が失敗することになるそのタイムアウトまでのブルートゥース動作の近接度とに基づいてＬＴＥ送信電力を漸進的にバックオフする態様を提案する。
【００６９】
[0080]  ５．１２秒の長さのブルートゥースページング動作では、タイムアウトの前にページスキャニングデバイスがページング要求を聴取する機会が４回（それぞれ１．２８秒）ある。ページング要求は、ＬＴＥにいかなるバックオフを課すこともなしに動作を開始し得る。この初期の動作期間（たとえば、１秒）中に、ブルートゥース信号から、たとえば、平均受信信号強度インジケータ（ＲＳＳＩ：received signal strength indicator）値に近似する、それの干渉に関するデータが収集され得る。この平均ＲＳＳＩは、ＬＴＥがブルートゥース動作と干渉していないことが知られていた時からの平均ＲＳＳＩと比較され得る。非干渉ＲＳＳＩ（non-interfered RSSI）と干渉ＲＳＳＩ（interfered RSSI）とは、ＬＴＥがブルートゥースへの干渉を生じているかどうかを判断するために比較され得る。比較される複数のＲＳＳＩと比較するためにしきい値が確立され得る。それらがしきい値を超えた場合、ＬＴＥに対して電力バックオフを実装するという決定が行われ得る。ＲＳＳＩ比較に基づいて、電力バックオフが適用され得る。たとえば、ＲＳＳＩ値は、ＬＴＥ電力バックオフのループを駆動し得る。
【００７０】
[0081]  ページング期間が続き、ページングタイムアウトが近づくにつれて、しきい値は、ブルートゥースへの潜在的な干渉を静穏化するためにＬＴＥバックオフを適用することにさらにより積極的になるように変更され得る。したがって、ＬＴＥバックオフを適用するという決定は、ＬＴＥによってブルートゥースデバイスに生じた干渉のレベル、ならびにタイムアウトの前にブルートゥース動作に残っている時間の合成関数（a combined function）であり得る。たとえば、ページングの最後の期間（３．８４〜５．１２秒）では、最大ＬＴＥ電力バックオフが適用され得る。別の態様では、ＲＳＳＩ統計値に基づく干渉レベルは、ある動作期間（たとえば、ページング動作中の中間期間）中により重く重み付けされ得、タイムアウトまでの残り時間は、他の動作期間（たとえばページング動作の前の最終期間）中により重く重み付けされ得る。別の構成では、干渉がより高くなるほど、バックオフはより高くなる。上記の方式は、保護されるべきページング動作、照会動作、または他のブルートゥース動作に適用され得る。
【００７１】
[0082]  漸進的バックオフは、次のように適用され得る。受信を試みるたびに、ブルートゥース構成要素は、共存マネージャに、受信した１／２スロットごとにＲＳＳＩを送り得る。共存マネージャにおいて、ＲＳＳＩは、次のように処理する無限インパルス応答（ＩＩＲ：infinite impulse response）フィルタにパスされる。  
【数１】
0005710793.tif 000002
【００７２】
式中、アルファ（α）は、望まれるフィルタリング量を定義し、
【数２】
0005710793.tif 000003
【００７３】
は、平均受信信号強度インジケータを定義する。上記の平均化は、周波数および時間にわたることに留意されたい。
【００７４】
[0083]  共存マネージャは、次いで、ＲＳＳＩによって示された知覚された干渉レベル（level of perceived interference）に基づいて、ＬＴＥ送信がその特定の１／２スロットと重複しているかどうかを計算する。ＬＴＥ重複がない（たとえば、ＬＴＥが、帯域の低いほうの１０ＭＨｚで送信していない）場合、その対応するＲＳＳＩは、ＲＳＳＩLTEoffとして識別され、次のように処理する別のＩＩＲフィルタにパスされる。  
【数３】
0005710793.tif 000004
【００７５】
[0084]  上記の２つのフィルタでは、平均ＲＳＳＩ
【数４】
0005710793.tif 000005
【００７６】
値、さらにＬＴＥがオフのときの平均ＲＳＳＩ値
【数５】
0005710793.tif 000006
【００７７】
が利用可能である。ページングおよび照会中の初期の期間（たとえば、最初の機会（すなわち、最初の１秒））の間に、共存マネージャは、上記で説明したように、ＲＳＳＩ測定を行い得る。ブルートゥースが受信モードにあるとき、ブルートゥースは送信していないので、ＲＳＳＩ測定は、干渉を効果的に測定する。初期の期間の最後において、初期の期間中にＬＴＥデューティサイクルが高く、したがって、
【数６】
0005710793.tif 000007
【００７８】
を計算するのに十分なサンプルがない（例示的なデフォルト値が３０であるＮ＿ＲＳＳＩ＿ＬＴＥｏｆｆ個のサンプルよりも少ない）場合、および
【数７】
0005710793.tif 000008
【００７９】
であり、ＲＳＳＩ＿ｔｈｌｄ＿ｃｏｎｎｅｃｔｉｏｎ＿ｓｅｔｕｐが接続セットアップに従って確立されるしきい値ＲＳＳＩである場合、共存マネージャは、ＬＴＥ＿ｐｏｗｅｒ  ｈｅａｄｒｏｏｍ  ｒｅｐｏｒｔ（ＰＨＲ）＿ｌｅｓｓバックオフ値を時間期間（Ｔ＿ｂｌａｎｋ）（たとえば、デフォルトの２０ｍｓ）の最大バックオフに設定し得、したがって、共存マネージャは、
【数８】
0005710793.tif 000009
【００８０】
を測定し得る。この目的のために、許容ＬＴＥ最大送信（ＴＸ）電力限界は、以下のようになり得る。  
【数９】
0005710793.tif 000010
【００８１】
式中、ｗｏｒｓｔ＿ｃａｓｅ＿ＬＴＥ＿ｍａｘＰｏｗｅｒＬｉｍｉｔは、構成可能であり、例示的なデフォルト値の５ｄＢｍを有し得る。
【００８２】
[0085]  ページング／照会の次の期間（たとえば、２番目の１秒）の開始時に、以下の条件の両方が成り立つ場合、共存マネージャはＬＴＥを支配的干渉物（dominant interferer）として識別し得る。  
【数１０】
0005710793.tif 000011
【数１１】
0005710793.tif 000012
【００８３】
式中、ＲＳＳＩ＿ｔｈｌｄ＿ｃｏｎｎｅｃｔｉｏｎ＿ｓｅｔｕｐは、接続セットアップに従って確立されるしきい値ＲＳＳＩであり、ＲＳＳＩ＿ＬＴＥｏｆｆ＿ｔｈｌｄ＿ｃｏｎｎｅｃｔｉｏｎ＿ｓｅｔｕｐは、ＬＴＥがオフであるときに接続セットアップに従って確立されるしきい値ＲＳＳＩである。
【００８４】
[0086]  ２番目の１秒の開始時に、上記の干渉アセスメントを通してＬＴＥが支配的干渉のソースとして識別されると、共存マネージャは、ＬＴＥ送信電力の漸進的なバックオフを開始するために、ＬＴＥ無線機にＬＴＥ＿ＰＨＲ＿Ｂａｃｋｏｆｆメッセージを送る。
【００８５】
[0087]  電力バックオフは、電力ヘッドルーム報告（ＰＨＲ：power headroom report）に少なくとも部分的に基づき得る。以下のループは、平均ＲＳＳＩがターゲット値（ＲＳＳＩ＿ｔａｒ＿ｃｏｎｎｅｃｔｉｏｎ＿ｓｅｔｕｐ）に収束するように電力バックオフを駆動し得る。ループ中、Δ（ｎ）は、前の電力バックオフ値を表し、Δ（ｎ＋１）は、新しい電力バックオフレベルを表す。  
【数１２】
0005710793.tif 000013
【００８６】
式中、μRSSI_Connection_Setupは、ループを所望のパフォーマンスに調整するために選定されるスケーリングファクタである。
【００８７】
[0088]  μＲＳＳＩ＿Ｃｏｎｎｅｃｔｉｏｎ＿Ｓｅｔｕｐパラメータによって、次の間隔における電力調整を強調または強調解除することが可能になる。たとえば、μＲＳＳＩ＿Ｃｏｎｎｅｃｔｉｏｎ＿Ｓｅｔｕｐが大きくなるにつれて、次の期間において適用される電力バックオフはより大きくなり得る。逆に、μＲＳＳＩ＿Ｃｏｎｎｅｃｔｉｏｎ＿Ｓｅｔｕｐが小さくなるにつれて、次の期間において適用される電力バックオフはより小さくなり得る。この特徴によって、ＬＴＥ実装形態は、共存問題を解決するように動的に調整することが可能になる。
【００８８】
[0089]  上記のループは、ＲＳＳＩ＿ｔａｒ＿ｃｏｎｎｅｃｔｉｏｎ＿ｓｅｔｕｐに収束するように、平均ＲＳＳＩ値
【数１３】
0005710793.tif 000014
【００８９】
を駆動することになる。このループでは、電力ヘッドルーム報告ループを更新する時間に選定された時間値であるＴ＿ＰＨＲ＿ｌｏｏｐ＿ＲＳＳＩ＿Ｃｏｎｎｅｃｔｉｏｎ＿Ｓｅｔｕｐ（例示的なデフォルト値は２０ｍｓに設定され得る）ごとに更新が行われる。
【００９０】
[0090]  時間がページングタイムアウトにより近くなる（たとえば、３．８４〜５．１２秒）につれて、共存マネージャは、電力バックオフにより積極的になり、次の最大電力バックオフを使用し得る。  
【数１４】
0005710793.tif 000015
【００９１】
[0091]  ページングおよび照会は、ブルートゥースが（拡張同期接続（ｅＳＣＯ：extended synchronous connection）またはアクティブ制御リスト（ＡＣＬ：active control list）などの）他のアクティブ接続に関与する間にも行われ得る。上記のプロシージャは、これらのシナリオにも適用され得る。アクティブ接続では、別の別個の干渉アセスメントと電力制御ループとが動作していることがあり得る。アクティブ接続は、適応型周波数ホッピング（ＡＦＨ：adaptive frequency hopping）をサポートするが、接続セットアップはサポートしないので、接続モードプロセスは、接続セットアッププロセスとは無関係に動作する。接続セットアップと接続モードの両方が出力制御ループを実行している場合、それらの２つのループからのＬＴＥ送信電力限界の最小値は、ＬＴＥ無線機に送り返され得る。
【００９２】
[0092]  照会では、（ＬＴＥが支配的干渉として識別される場合）干渉アセスメントと電力バックオフとがＮ個の照会のうちの１つに適用され、Ｎはパラメータである。これは、照会がホストによって周期的に制御されるからである。設計を簡略化するために、ＬＴＥが、ブルートゥースページング／照会プロセス中にスリープ状態からアクティブになった場合、ＬＴＥが接続状態にあるとき、次の最大ＬＴＥ電力バックオフが（ＰＨＲの修正とともに）適用される。  
【数１５】
0005710793.tif 000016
【００９３】
[0093]  図１１に、本開示の一態様による、漸進的ＬＴＥ電力バックオフ方法（progressive LTE power backoff method）を示す。ブロック１１０２において、共存マネージャは、第１の無線アクセス技術（ＲＡＴ）による動作のために残っている時間期間を判断する。ブロック１１０４において、共存マネージャは、残っている時間期間に基づいて第２のＲＡＴに電力バックオフを適用する。
【００９４】
[0094]  図１２は、漸進的ＬＴＥ電力バックオフシステム１２１４を採用する装置１２００のためのハードウェア実装形態の一例を示す図である。漸進的ＬＴＥ電力バックオフシステム１２１４は、バス１２２４によって概略的に表されるバスアーキテクチャを用いて実装され得る。バス１２２４は、漸進的ＬＴＥ電力バックオフシステム１２１４の特定の適用例および全体的な設計制約に応じて、任意の数の相互接続バスとブリッジとを含み得る。バス１２２４は、プロセッサ１２２６によって表される１つまたは複数のプロセッサおよび／またはハードウェアモジュールと、判断モジュール１２０２と、適用モジュール１２０４と、コンピュータ可読媒体１２２８とを含む様々な回路を互いにリンクする。バス１２２４はまた、タイミングソース、周辺機器、電圧調整器、および電力管理回路など、様々な他の回路をリンクし得るが、これらの回路は当技術分野においてよく知られており、したがって、これ以上説明しない。
【００９５】
[0095]  本装置は、トランシーバ１２２２に結合された漸進的ＬＴＥ電力バックオフシステム１２１４を含む。トランシーバ１２２２は、１つまたは複数のアンテナ１２２０に結合される。トランシーバ１２２２は、送信媒体を介して様々な他の装置と通信するための手段を与える。漸進的ＬＴＥ電力バックオフシステム１２１４は、コンピュータ可読媒体１２２８に結合されたプロセッサ１２２６を含む。プロセッサ１２２６は、コンピュータ可読媒体１２２８に記憶されたソフトウェアの実行を含む一般的な処理を担当する。ソフトウェアは、プロセッサ１２２６によって実行されたとき、漸進的ＬＴＥ電力バックオフシステム１２１４に、特定の装置のための上記で説明した様々な機能を実行させる。コンピュータ可読媒体１２２８はまた、ソフトウェアを実行するときにプロセッサ１２２６によって操作されるデータを記憶するために使用され得る。漸進的ＬＴＥ電力バックオフシステム１２１４は、さらに、第１の無線アクセス技術による動作のために残っている時間期間を判断するための判断モジュール１２０２を含む。この判断モジュールはまた、第２のＲＡＴによって生じる第１のＲＡＴの潜在的な干渉の測定値を判断するように構成され得る。漸進的ＬＴＥ電力バックオフシステム１２１４は、さらに、残っている時間期間に基づいて第２のＲＡＴに電力バックオフを適用するための適用モジュール１２０４を含む。この適用モジュールはまた、潜在的な干渉の測定値に基づいて第２のＲＡＴに電力バックオフを適用するように構成され得る。判断モジュール１２０２と適用モジュール１２０４とは、プロセッサ１２２６で動作し、コンピュータ可読媒体１２２８中に常駐する／記憶されたソフトウェアモジュールであるか、プロセッサ１２２６に結合された１つまたは複数のハードウェアモジュールであるか、あるいはそれらの何らかの組合せであり得る。漸進的ＬＴＥ電力バックオフシステム１２１４は、ＵＥ２５０の構成要素であり得、メモリ２７２および／またはプロセッサ２７０を含み得る。
【００９６】
[0096]  一構成では、ワイヤレス通信のための装置１２００は、第１の無線アクセス技術（ＲＡＴ）による動作のために残っている時間期間を判断するための手段を含む。前記手段は、共存マネージャ６４０、判断モジュール１２０２、マルチ無線ワイヤレスデバイス６００、および／または判断手段によって具陳される機能を実行するように構成された装置１２００の漸進的ＬＴＥ電力バックオフシステム１２１４であり得る。上記で説明したように、漸進的ＬＴＥ電力バックオフシステム１２１４は、メモリ２３２／２７２および／またはプロセッサ２３０／２７０を含み得る。別の態様では、上述の手段は、上述の手段によって具陳される機能を実行するように構成されたモジュールまたは任意の装置であり得る。
【００９７】
[0097]  ワイヤレス通信のための装置１２００は、残っている時間期間に基づいて第２のＲＡＴに電力バックオフを適用するための手段を含む。前記手段は、共存マネージャ６４０、適用モジュール１２０４、複数マルチ無線ワイヤレスデバイス６００、および／または適用手段によって具陳される機能を実行するように構成された装置１２００の漸進的ＬＴＥ電力バックオフシステム１２１４であり得る。上記で説明したように、漸進的ＬＴＥ電力バックオフシステム１２１４は、メモリ２３２／２７２および／またはプロセッサ２３０／２７０を含み得る。別の態様では、上述の手段は、上述の手段によって具陳される機能を実行するように構成された任意のモジュールまたは任意の装置であり得る。
【００９８】
[0098]  上記の例は、ＬＴＥシステムにおいて実装される態様について説明するものである。ただし、本開示の範囲はそのように限定されない。様々な態様は、限定はしないが、ＣＤＭＡシステム、ＴＤＭＡシステム、ＦＤＭＡシステム、およびＯＦＤＭＡシステムを含む様々な通信プロトコルのいずれかを採用した通信システムなど、他の通信システムとともに使用するように適応され得る。同様に、ブルートゥースに関して説明したが、本開示は、他の技術、たとえば、ＷＬＡＮに等しく適用可能であることを諒解されたい。同様に、ＲＳＳＩを干渉の近似値として説明したが、他のメトリックをＲＳＳＩの代わりに使用することも、他のメトリックがＲＳＳＩを補うこともできる。
【００９９】
[0099]  開示したプロセスにおけるステップの特定の順序または階層は、例示的な手法の一例であることを理解されたい。設計上の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【０１００】
[0100]  情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１０１】
[0101]  さらに、本明細書で開示する態様に関して説明する様々な例示的な論理ブロック、モジュール、回路、およびアルゴリズムステップは、電子ハードウェア、コンピュータソフトウェア、または両方の組合せとして実装され得ることを、当業者なら諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【０１０２】
[0102]  本明細書で開示する態様に関して説明する様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明する機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラまたは状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサあるいは任意の他のそのような構成として実装され得る。
【０１０３】
[0103]  本明細書で開示する態様に関して説明する方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【０１０４】
[0104]  開示した態様の前述の説明は、当業者が本開示を実施または使用できるように与えたものである。これらの態様への様々な修正は当業者には容易に明らかになり、本明細書で定義した一般原理は、本開示の趣旨または範囲から逸脱することなく他の態様に適用され得る。したがって、本開示は、本明細書で示した態様に限定されるものではなく、本明細書で開示した原理および新規の特徴に一致する最も広い範囲を与えられるべきである。
なお、本願の出願当初の請求項と同一の記載を以下に付記する。
［Ｃ１]  第１の無線アクセス技術（ＲＡＴ）による動作のために残っている時間期間を判断することと、
前記残っている時間期間に少なくとも部分的に基づいて第２のＲＡＴに電力バックオフを適用することと
を備える、ワイヤレス通信のための方法。
［Ｃ２]  前記第２のＲＡＴによって生じる前記第１のＲＡＴの潜在的な干渉の測定値を判断することと、
潜在的な干渉の前記測定値に基づいて前記第２のＲＡＴに前記電力バックオフを適用することと
をさらに備える、Ｃ１に記載の方法。
［Ｃ３]  前記第２のＲＡＴに前記電力バックオフを適用することは、潜在的な干渉の前記測定値が所定のしきい値を超えたとき、潜在的な干渉の前記測定値にさらに基づく、Ｃ２に記載の方法。
［Ｃ４]  前記第２のＲＡＴに前記電力バックオフを適用することは、潜在的な干渉の前記測定値が増加したとき、前記電力バックオフを増加させることを備える、Ｃ２に記載の方法。
［Ｃ５]  前記残っている時間期間が減少するにつれて、前記適用される電力バックオフが増加する、Ｃ１に記載の方法。
［Ｃ６]  前記時間期間の終了が近づくと、前記適用される電力バックオフが最大許容電力バックオフになる、Ｃ５に記載の方法。
［Ｃ７]  前記第１のＲＡＴがブルートゥースを備え、前記第２のＲＡＴがロング・ターム・エボリューション（ＬＴＥ）を備える、Ｃ１に記載の方法。
［Ｃ８]  前記動作が、ページング動作または照会動作を備える、Ｃ７に記載の方法。
［Ｃ９]  第１の無線アクセス技術（ＲＡＴ）による動作のために残っている時間期間を判断するための手段と、
前記残っている時間期間に少なくとも部分的に基づいて第２のＲＡＴに電力バックオフを適用するための手段と
を備える、ワイヤレス通信のための装置。
［Ｃ１０]  前記第２のＲＡＴによって生じる前記第１のＲＡＴの潜在的な干渉の測定値を判断するための手段と、
潜在的な干渉の前記測定値に基づいて前記第２のＲＡＴに前記電力バックオフを適用するための手段と
をさらに備える、Ｃ９に記載の装置。
［Ｃ１１]  メモリと、
前記メモリに結合された少なくとも１つのプロセッサであって、
第１の無線アクセス技術（ＲＡＴ）による動作のために残っている時間期間を判断することと、
前記残っている時間期間に少なくとも部分的に基づいて第２のＲＡＴに電力バックオフを適用することと
を行うように構成された少なくとも１つのプロセッサと
を備える、ワイヤレス通信のための装置。
［Ｃ１２]  前記少なくとも１つのプロセッサが、
前記第２のＲＡＴによって生じる前記第１のＲＡＴの潜在的な干渉の測定値を判断することと、
潜在的な干渉の前記測定値に少なくとも部分的に基づいて前記第２のＲＡＴに前記電力バックオフを適用することと
を行うようにさらに構成された、Ｃ１１に記載の装置。
［Ｃ１３]  前記第２のＲＡＴに前記電力バックオフを適用することは、潜在的な干渉の前記測定値が所定のしきい値を超えたとき、潜在的な干渉の前記測定値にさらに基づく、Ｃ１２に記載の装置。
［Ｃ１４]  前記第２のＲＡＴに前記電力バックオフを適用することは、潜在的な干渉の前記測定値が増加したとき、前記電力バックオフを増加させることを備える、Ｃ１２に記載の装置。
［Ｃ１５]  前記残っている時間期間が減少するにつれて、前記適用される電力バックオフが増加する、Ｃ１１に記載の装置。
［Ｃ１６]  前記時間期間の終了が近づくと、前記適用される電力バックオフが最大許容電力バックオフになる、Ｃ１５に記載の装置。
［Ｃ１７]  前記第１のＲＡＴがブルートゥースを備え、前記第２のＲＡＴがロング・ターム・エボリューション（ＬＴＥ）を備える、Ｃ１１に記載の装置。
［Ｃ１８]  前記動作が、ページング動作または照会動作を備える、Ｃ１７に記載の装置。
［Ｃ１９]  非一時的プログラムコードを記録したコンピュータ可読媒体を備える、ワイヤレスネットワークにおけるワイヤレス通信のためのコンピュータプログラム製品であって、前記プログラムコードが、
第１の無線アクセス技術（ＲＡＴ）による動作のために残っている時間期間を判断するためのプログラムコードと、
前記残っている時間期間に基づいて第２のＲＡＴに電力バックオフを適用するためのプログラムコードと
を備える、コンピュータプログラム製品。
［Ｃ２０]  前記プログラムコードが、
前記第２のＲＡＴによって生じる前記第１のＲＡＴの潜在的な干渉の測定値を判断するためのプログラムコードと、
潜在的な干渉の前記測定値に基づいて前記第２のＲＡＴに前記電力バックオフを適用するためのプログラムコードと
をさらに備える、Ｃ１９に記載のコンピュータプログラム製品。
【図１】
0005710793.tif 000017
【図２】
0005710793.tif 000018
【図３】
0005710793.tif 000019
【図４】
0005710793.tif 000020
【図５】
0005710793.tif 000021
【図６】
0005710793.tif 000022
【図７】
0005710793.tif 000023
【図８】
0005710793.tif 000024
【図９】
0005710793.tif 000025
【図１０】
0005710793.tif 000026
【図１１】
0005710793.tif 000027
【図１２】
0005710793.tif 000028